(57)【要約】【課題】安全を確保しつつ初期凍害を防止することができるコンクリート養生方法を提供する。【解決手段】養生装置１は、下面開口状のカバー筐体１０と、カバー筐体に内包された加熱された蓄熱材１３と、を有し、カバー筐体を、未硬化コンクリートが内側に打設された型枠２１に覆設し、所定の養生期間、被覆状態を維持する。【選択図】図１
2018135711.tif 000002
【特許請求の範囲】
【請求項１】
養生装置を用いたコンクリート養生方法であって、
前記養生装置は、下面開口状のカバー筐体と、前記カバー筐体に内包された加熱された蓄熱材と、を有し、
前記カバー筐体を、未硬化コンクリートが内側に打設された型枠に覆設し、
所定の養生期間、前記カバー筐体の前記型枠に対する被覆状態を維持する、コンクリート養生方法。
【請求項２】
前記蓄熱材は、前記カバー筐体の側面の内面に取り付けられる、請求項１に記載のコンクリート養生方法。
【請求項３】
前記カバー筐体は、１または複数の前記蓄熱材を着脱可能に内面に取り付けるための取付部材を有する、請求項１または２に記載のコンクリート養生方法。
【請求項４】
前記カバー筐体内面に取り付けられる前記蓄熱材の蓄熱量および個数は、前記養生装置の総熱必要量に基づいて決定され、
前記総熱必要量は、前記養生装置の単位時間あたりの熱損失量に前記蓄熱材の給熱効果が必要となる時間を乗じて得られる、請求項３に記載のコンクリート養生方法。
【請求項５】
コンクリートの養生に用いる養生装置であって、
未硬化コンクリートが内側に打設された型枠に覆設される、下面開口状のカバー筐体を備え、
前記カバー筐体は、内面に１つまたは複数の蓄熱材を着脱自在に取り付けるための取付部材を有する、養生装置。
【発明の詳細な説明】
【技術分野】
【０００１】
この発明はコンクリート養生方法および養生装置に関する。
【背景技術】
【０００２】
被覆ブロックなどのプレキャストコンクリートは、施工現場付近の屋外で打設される場合がある。打設が屋外、特に寒冷地である場合、冬季のような低温が続く環境下では、養生中のコンクリートが凍結する恐れがある。凝結硬化初期に受けるコンクリートの凍害を初期凍害ともいう。初期凍害を防止するために、土木学会コンクリート標準示方書では、初期凍害を防止できる強度が得られるまでコンクリートの温度を５℃（部材厚が小さい場合には１０℃程度）以上に保つことを標準と定めている。
【０００３】
コンクリートの温度を保つ方法として、たとえば特開２００５−９０１４６号公報（特許文献１）は、断熱性シートでコンクリート躯体の表面を覆う、断熱養生などと呼ばれる養生方法を提案している。
【０００４】
さらに、養生時にヒータ等の熱源を用いてコンクリートを加熱することで断面内の温度勾配を低減する、加熱養生などと呼ばれる養生方法も知られている。
【先行技術文献】
【特許文献】
【０００５】
【特許文献１】特開２００５−９０１４６号公報
【発明の概要】
【発明が解決しようとする課題】
【０００６】
しかしながら、特に寒冷地などでは、断熱養生ではコンクリートの温度を５℃（部材厚が小さい場合には１０℃程度）以上に保つことが難しい場合もある。また、ヒータ等を使用した加熱養生では火災のおそれがある。
【０００７】
本発明はこのような問題に鑑みてなされたものであって、屋外でのプレキャストコンクリートの養生において、安全を確保しつつ初期凍害を防止できるコンクリート養生方法および養生装置を提供することを目的とする。
【課題を解決するための手段】
【０００８】
この発明のある実施の形態にかかるコンクリート養生方法は養生装置を用いたコンクリート養生方法であって、養生装置は、下面開口状のカバー筐体と、カバー筐体に内包された加熱された蓄熱材と、を有し、カバー筐体を、未硬化コンクリートが内側に打設された型枠に覆設し、所定の養生期間、カバー筐体の型枠に対する被覆状態を維持する。
コンクリート養生時に、加熱された蓄熱材が内包されたカバー筐体を未硬化コンクリートが内側に打設された型枠に対して上方から覆設して所定の養生期間、被覆状態を維持することによって、被覆ブロックのように屋外などの温度管理が難しい環境下でコンクリートを養生する場合であっても、養生時の温度管理を容易に行うことができる。このとき、養生空間を保温する熱源として蓄熱材を用いることによって、火災のおそれがない。その結果、屋外でのプレキャストコンクリートの養生において、安全を確保しつつ初期凍害を防止することができる。
【０００９】
好ましくは、蓄熱材はカバー筐体の側面の内面に取り付けられる。
これにより、カバー筐体の各面のうちの側面の強度を蓄熱材が取り付け可能な強度に設計すればよく、上面などの他の面の強度を高強度とする必要がない。また、蓄熱材から供給された熱がカバー筐体内全体に拡散されやすく、コンクリートを効果的に保温できる。
【００１０】
好ましくは、カバー筐体は、１または複数の蓄熱材を着脱可能に内面に取り付けるための取付部材を有する。
カバー筐体が該取付部材を有することによって、カバー筐体内面に取り付ける蓄熱材の種類や個数を可変とすることができる。これによって、型枠やカバー筐体のサイズや外気温などの養生条件に応じて柔軟に蓄熱材の種類や個数を最適なものに選定できる。
【００１１】
好ましくは、カバー筐体内面に取り付けられる蓄熱材の蓄熱量および個数は、養生装置の総熱必要量に基づいて決定され、総熱必要量は、養生装置の単位時間あたりの熱損失量に蓄熱材の給熱効果が必要となる時間を乗じて得られる。
これにより、コンクリートが特に寒冷地の屋外において養生される際に適した蓄熱材１３の蓄熱量および個数を選定することができる。
【００１２】
この発明のある実施の形態にかかる養生装置はコンクリートの養生に用いる養生装置であって、未硬化コンクリートが内側に打設された型枠に覆設される、下面開口状のカバー筐体を備え、カバー筐体は、内面に１つまたは複数の蓄熱材を着脱自在に取り付けるための取付部材を有する。
コンクリートの養生に当該養生装置を用いることによって、加熱された蓄熱材をカバー筐体内面に取り付け、該蓄熱材が取り付けられたカバー筐体を未硬化コンクリートが内側に打設された型枠に対して上方から覆設して所定の養生期間、被覆状態を維持することができる。これによって、被覆ブロックのように屋外などの温度管理が難しい環境下でコンクリートを養生する場合であっても、養生時の温度管理を容易に行うことができる。このとき、養生空間を保温する熱源として蓄熱材を用いることによって、火災のおそれがない。その結果、屋外でのプレキャストコンクリートの養生において、安全を確保しつつ初期凍害を防止することができる。
【発明の効果】
【００１３】
この発明によると、被覆ブロックなどの屋外でのプレキャストコンクリートの養生において、安全を確保しつつ初期凍害を防止することができる。
【図面の簡単な説明】
【００１４】
【図１】実施の形態にかかるコンクリート養生装置（以下、養生装置）の概略を示した図である。
【図２】養生装置の設置の仕方の他の例を示した図である。
【図３】被覆ブロックの一例を表した概略図である。
【図４】蓄熱材がカバー筐体への取り付けられた様子の一例を示した図である。
【図５】養生装置を用いたコンクリート養生方法を説明するための図である。
【図６】発明者らによる検証試験に用いた養生装置およびコンクリートブロック体の概略図である。
【図７】発明者らによる検証試験の結果を表した図である。
【発明を実施するための形態】
【００１５】
以下に、図面を参照しつつ、好ましい実施の形態について説明する。以下の説明では、同一の部品および構成要素には同一の符号を付してある。それらの名称および機能も同じである。したがって、これらの説明は繰り返さない。
【００１６】
＜コンクリート養生装置の概要＞
図１（Ａ），（Ｂ）は、本実施の形態にかかるコンクリート養生装置（以下、養生装置）１の概略を示した図である。図２は、養生装置１の設置の仕方の他の例を示した図である。図１（Ａ）および図２は概略垂直断面図、図１（Ｂ）は概略平面図である。
【００１７】
図１（Ａ），（Ｂ）を参照して、本実施の形態にかかる養生装置１は、下面開口状カバー筐体１０と、保温シート１１と、１つまたは複数の蓄熱材１３と、を備える。
【００１８】
＜カバー筐体＞
カバー筐体１０は、一例として、カバー筐体１０は、図１（Ａ）〜図２に示されたように、パネル状の側面および上面を有して底面を有しない立方体または直方体のかぶせ蓋状の形状である。カバー筐体１０は図１（Ａ）〜図２に示された箱形状に限定されない。たとえば、底の開放したピラミッド形状やドーム型や釣鐘型であってもよい。また、後述する保温シート１１の保温性や防水性によっては、上面を有さず側面のみの柵状であってもよい。カバー筐体１０は下面開口状であるため、養生するコンクリートに覆設可能である。
【００１９】
養生するコンクリートは、型枠２１内に打設された未硬化のコンクリートである。未硬化のコンクリートが内側に打設された型枠２１は、地盤などの基面に静置される。好ましくは、基面は、図２に示されたように、地盤の上に敷設された断熱材１４である。養生装置１は、カバー筐体１０内部に型枠２１が位置するようにカバー筐体１０を基面上に配置して、型枠２１に対して覆設される。
【００２０】
＜被覆ブロック＞
型枠２１内に打設されたコンクリートはプレキャストコンクリートであって、たとえば被覆ブロックである。図３は、被覆ブロック２の一例を表した概略図である。被覆ブロック２は、型枠２１内にコンクリートを打設されて成形される。
【００２１】
被覆ブロックは、防波堤や護岸堤等における法面など被覆する防護工として用いられ、重量は一般的には２ｔ〜１０ｔ程度である。そのため、運搬等を考慮して施工現場付近の屋外で打設される場合がある。本実施の形態にかかる養生装置１は、屋外で打設されたプレキャストコンクリートの養生に用いられるものであって、屋外で打設され、屋外に配置された被覆ブロック２の養生に用いられる場合について説明する。なお、養生装置１を養生に用いるコンクリートは被覆ブロックに限定されない。養生装置１は屋外で打設され、未硬化のプレキャストコンクリート全般の養生に用いることができる。
【００２２】
＜保温シート＞
保温シート１１は保温効果の優れ、かつ柔軟な布状の部材である。たとえば、ポリ塩化ビニル、ポリエチレンなどからなる各種材料の合成樹脂製シート（いわゆるブルーシート）や、多重にしたシート間に円柱状の空気柱を設けた気泡緩衝材や、熱を反射するアルミニウム、ステンレスなどの金属系フィルムや、それらを組み合わせた素材、などで成形される。保温シート１１は、たとえば、川上産業株式会社製のアルミプチ（登録商標）といわゆるブルーシートであるポリ塩化ビニルシートとを重ねて用いることができる。
【００２３】
保温シート１１は、カバー筐体１０の外周、すなわち、カバー筐体１０の側面および上面に覆設され、好ましくは、図示されない紐や粘着テープなどの束縛部材によって、カバー筐体１０に束縛される。
【００２４】
＜蓄熱材＞
１つまたは複数の蓄熱材１３は、カバー筐体１０に内包される。蓄熱材１３は、潜熱蓄熱材である。好ましくは、蓄熱材１３は５Ｋｇ程度以下の、人が手で持ち運び可能なサイズおよび重量である。
【００２５】
好ましくは、蓄熱材１３は、カバー筐体１０の内面に着脱可能に取り付けられる。より好ましくは、蓄熱材１３は、カバー筐体１０側面の内側に取り付けられ、上面には取り付けられない。蓄熱材１３がカバー筐体１０側面にのみ取り付けられることで、カバー筐体１０の各面のうちの側面の強度を蓄熱材１３が取り付け可能な強度に設計すればよく、上面の強度を高強度とする必要がない。また、蓄熱材１３から供給された熱がカバー筐体１０内全体に拡散されやすく、被覆ブロック２を効果的に保温できる。
【００２６】
好ましくは、カバー筐体１０は、１または複数の蓄熱材１３を着脱可能に内面に取り付けるための取付部材を有する。カバー筐体１０が該取付部材を有することによって、カバー筐体１０内面に取り付ける蓄熱材１３の種類や個数を可変とすることができる。これによって、型枠２１やカバー筐体１０のサイズや外気温などの養生条件に応じて柔軟に蓄熱材１３の種類や個数を最適なものに選定できる。
【００２７】
蓄熱材１３は、たとえば、株式会社ヤノ技研製のエネバンク（登録商標）を用いることができる。図４は、蓄熱材１３がカバー筐体１０へ取り付けられた様子の一例を表した図である。図４では、蓄熱材１３としてエネバンク（登録商標）のＢタイプが用いられている。この場合、蓄熱材１３は平板形状で、１または複数の孔１３ａが設けられている。
【００２８】
図４を参照して、カバー筐体１０は、取付部材の一例としての取付部材１０ａを有している。取付部材１０ａは、カバー筐体１０側面の内側に底辺と平行に横架された棒状部材である。蓄熱材１３には取付用の機構として１または複数の孔１３ａが設けられ、フックや紐などの懸架部材１５を孔１３ａに挿通して蓄熱材１３を取付部材１０ａに懸架させる。
【００２９】
他の例として、取付部材は、カバー筐体１０側面から内側に向けて突起する形状の部材であってもよい。この場合、蓄熱材１３は、たとえば、取付部材の突起した形状の上に載置される。
【００３０】
一例として、「寒中コンクリート施工指針・同解説」（２０１０年１月改訂版（第５版）  日本建築学会）の第９章「保温養生」（以下、指針）に準拠して蓄熱材１３と養生装置１内部に設置する個数とを選定することができる。
【００３１】
詳しくは、養生装置１内部の総熱必要量ＱALL（Ｋｃａｌ）は、養生装置１内部の失われる時間当たりの熱損失量（単位時間熱損失量）Ｑ（Ｋｃａｌ／ｈ）および蓄熱材の給熱効果が必要となる時間ｔ（ｈ）を用いて下の式（１）で表される。
ＱALL＝Ｑ×ｔ          …式（１）
【００３２】
ここで、単位時間熱損失量Ｑは、養生装置１内部の単位時間・温度差１℃あたりの熱損失量（単位温度熱損失量）Ｑ１（Ｋｃａｌ／ｍ2ｈ℃）、計画養生温度Ｔｉ（℃）、および仮定した初期養生期間の予想平均気温Ｔｍｅ（℃）を用いて下の式（２）で表される。
Ｑ＝Ｑ１×（Ｔｉ−Ｔｍｅ）          …式（２）
なお、予想平均気温Ｔｍｅは、たとえば、初期養生期間の平均気温の平年値Ｔｓｍｅ（℃）や、平年値Ｔｓｍｅ（℃）から所定温度（たとえば４℃）を減じた値でもよい。
【００３３】
さらに、単位温度熱損失量Ｑ１は、養生装置１を構成する部材それぞれの熱損失係数Ｋｎ（Ｋｃａｌ／ｍ2ｈ℃）および該部材それぞれの面積Ｓｎ（ｍ2）を用いて下の式（３）で表される。
Ｑ１＝Σ（Ｋｎ×Ｓｎ）          …式（３）
【００３４】
従って、養生装置１を構成する各部材の熱損失係数Ｋｎおよび面積Ｓｎを式（３）に代入することで養生装置１の単位温度熱損失量Ｑ１が得られ、その単位熱損失量Ｑ１を式（２）に代入することで単位時間熱損失量Ｑが得られる。さらに単位時間熱損失量Ｑを式（１）に代入することで養生装置１内部の総熱必要量ＱALLを得ることができる。
【００３５】
養生装置１内部の総熱必要量ＱALLは、蓄熱材１３の蓄熱量ｑｎ（Ｋｃａｌ）と養生装置１内部に設置する蓄熱材１３の個数Ｎｎ（個）とを用いて下の式（４）で表される。
Σ（Ｑｎ×Ｎｎ）＝ＱALL          …式（４）
従って、算出された総熱必要量ＱALLに対して式（４）を満たす蓄熱量ｑｎの蓄熱材を蓄熱材１３と選定し、養生装置１内部に設置する蓄熱材１３の個数をＮｎ（個）と選定することができる。
【００３６】
上記指針に示された方法では、カバー筐体１０内面に取り付けられる蓄熱材１３の蓄熱量および個数が、養生装置１の単位時間あたりの熱損失量Ｑに蓄熱材の給熱効果が必要となる時間ｔを乗じて得られる、養生装置１の総熱必要量ＱALLに基づいて決定される。これにより、被覆ブロック２が、特に寒冷地の屋外において養生される際に適した蓄熱材１３の蓄熱量および個数を選定することができる。
【００３７】
＜コンクリートの養生方法＞
図５は、養生装置１を用いたコンクリート養生方法を説明するための図である。図５を参照して、被覆ブロック２の打設現場近傍でカバー筐体１０が組み立てられ、外周に保温シート１１が覆設される（ステップＳ１）。次に、加熱された蓄熱材１３が、たとえば上記のように選定した個数、カバー筐体１０の側面内側に取り付けられる（ステップＳ２）。ステップＳ１，２は逆順でもよい。
【００３８】
被覆ブロック２の打設現場において地盤上または図示しない断熱材上に型枠２１がセットされ（ステップＳ３）、その内側に未硬化コンクリートが打設される（ステップＳ４）。
【００３９】
養生装置１には吊下用ワイヤなどの吊下部材が接続され、クレーン等の揚重機によって吊り上げられる。養生装置１は被覆ブロック２の打設現場まで移動され、被覆ブロック２の上方から下降されて被覆ブロック２に覆設される（ステップＳ５）。所定の養生期間、養生装置１による被覆ブロック２の被覆状態が維持される。
【００４０】
養生期間が経過すると、養生装置１は再びクレーン等の揚重機によって吊り上げられ、撤去される（ステップＳ６）。その後、型枠２１が解体されて撤去され、被覆ブロック２が完成する（ステップＳ７）。撤去された養生装置１は転用される（ステップＳ８）。
【００４１】
＜検証試験＞
発明者らは、養生装置１の効果を検証するための試験を行った。図６（Ａ）〜図６（Ｄ）は検証試験に用いた養生装置１およびコンクリートブロック体２’の概略図である。図７は、試験結果を表した図である。
【００４２】
検証試験は、養生装置１内部に蓄熱材１３を設置する場合（蓄熱有）と、全く設置しない場合（蓄熱無）と、の２条件で行われた。蓄熱有の場合、上記指針に準拠して上記エネバンク（登録商標）を合計１６個用いた。予め蓄熱材１３を加熱して、カバー筐体１０の４側面それぞれに、高さ方向に２つ、横方向に２つ並列して４つずつ設置した。
【００４３】
図６（Ａ），（Ｂ）を参照して、カバー筐体１０は、上面および４側面それぞれが１５００ｍｍの正方形である、かぶせ蓋状の形状（底面のない立方体形状）である。保温シート１１はカバー筐体１０外周を完全に覆うサイズであって、川上産業株式会社製のアルミプチ（登録商標）と、いわゆるブルーシートであるポリ塩化ビニルシートとを、この順にカバー筐体１０に覆設して用いた。蓄熱材１３は、株式会社ヤノ技研製のエネバンク（登録商標）のＢタイプ（種類：ＢＥ２７）を用いた。
【００４４】
図６（Ｃ），（Ｄ）を参照して、コンクリートブロック体２’は一辺５００ｍｍの立方体の型枠に未硬化コンクリートを打設してなる。縦２ｍ横５ｍのコンクリート基礎の上にコンクリートブロック体２’を静置し、内部の中央に位置するようにコンクリートブロック体２’に覆設することでコンクリートブロック体２’を養生装置１によって密閉した。養生装置１の内部空間およびコンクリートブロック体２’内には、温度測定のための熱電対Ｔ１〜Ｔ５を図６（Ａ），（Ｃ），（Ｄ）に示された位置に配置した。
【００４５】
コンクリートブロック体２’の打設直後から１０分間隔で２２時間後まで温度を測定した。図７の横軸が経過時間（時間）、縦軸が温度（℃）で、以下に説明する各位置の測定温度の時間変化を表している。
【００４６】
図７の「蓄熱有Ｃｏ中央」および「蓄熱無Ｃｏ中央」は、それぞれ、蓄熱材１３有りの条件および蓄熱材１３無しの状態で熱電対Ｔ３による測定結果を表している。熱電対Ｔ３はコンクリートブロック体２’中央に設置されている。熱電対Ｔ３で測定された温度は、コンクリートブロック体２’内部温度である。
【００４７】
図７の「蓄熱有Ｃｏ中５ｃｍ」および「蓄熱無Ｃｏ中５ｃｍ」は、それぞれ、蓄熱材１３有りの条件および蓄熱材１３無しの状態で熱電対Ｔ４による測定結果を表している。熱電対Ｔ４はコンクリートブロック体２’中央から側面に向かって２００ｍｍずれた、コンクリートブロック体２’内部の位置、つまり、コンクリートブロック体２’側面の中心から中央に向かって５０ｍｍ内側の位置に設置されている。熱電対Ｔ４で測定された温度は、コンクリートブロック体２’の側面の表面付近の内部温度と言える。
【００４８】
図７の「蓄熱有Ｃｏ上５ｃｍ」および「蓄熱無Ｃｏ上５ｃｍ」は、それぞれ、蓄熱材１３有りの条件および蓄熱材１３無しの状態で熱電対Ｔ５による測定結果を表している。熱電対Ｔ５はコンクリートブロック体２’中央から上面に向かって２００ｍｍずれた、コンクリートブロック体２’内部の位置、つまり、コンクリートブロック体２’上面の中心から中央に向かって５０ｍｍ内側の位置に設置されている。熱電対Ｔ５で測定された温度は、コンクリートブロック体２’の上面の表面付近の内部温度と言える。
【００４９】
図７の「蓄熱有内部１ｍ」および「蓄熱無内部１ｍ」は、それぞれ、蓄熱材１３有りの条件および蓄熱材１３無しの状態で熱電対Ｔ１による測定結果を表している。熱電対Ｔ１は、コンクリートブロック体２’中央真上であって、コンクリート基礎から１０００ｍｍ上に配置されている。熱電対Ｔ１で測定された温度は、養生装置１内部温度であって、コンクリートブロック体２’よりも上方の温度である。
【００５０】
図７の「蓄熱有内部０．３ｍ」および「蓄熱無内部０．３ｍ」は、それぞれ、蓄熱材１３有りの条件および蓄熱材１３無しの状態で熱電対Ｔ２による測定結果を表している。熱電対Ｔ２は、コンクリートブロック体２’近傍であって、コンクリート基礎から３００ｍｍ上に配置されている。熱電対Ｔ２で測定された温度は、養生装置１内部温度であって、コンクリートブロック体２’よりも下方の温度である。
【００５１】
図７の「外気温」は養生装置１外部温度（外気温）であって、養生装置１から３ｍほど離たり、コンクリート基礎から１２００ｍｍ上に配置された図示されない熱電対によって測定された温度である。当該温度は、養生装置１が設置された屋外の外気温と言える。
【００５２】
図７の「外気温土間Ｃｏ上」は養生装置１外部温度（外気温）であって、養生装置１から０．３ｍほど離たり、コンクリート基礎すぐ上に配置された図示されない熱電対によって測定された温度である。当該温度は、養生装置１が設置された位置の屋外の地表温度と言える。
【００５３】
図７の結果より、外気温はコンクリートブロック体２’打設後、５時間経過時に−３℃付近まで低下している。この気温条件下において、養生装置１内部に蓄熱材１３が設置されていない試験条件下では、打設直後から急激に低下し、打設後５時間時に−１℃付近に達している。これに対して蓄熱材１３が設置された試験条件下では、養生装置１内部温度は８〜１４℃を維持して推移している。
【００５４】
また、コンクリートブロック体２’上面の表面付近の内部温度は、養生装置１内部に蓄熱材１３が設置されていない試験条件下では打設直後から低下し、打設後５時間経過時に約７℃、１０時間経過時に約５℃に達した。これに対して蓄熱材１３が設置された試験条件下では、打設直後から５時間が経過するまで当初温度（約１０℃）から大きく変化がなかった。コンクリートブロック体２’中央温度は、その後、徐々に温度上昇して打設後１３時間経過時に約１２℃程度に達した。上面の表面付近温度および側面の表面付近温度は、１０℃付近で推移している。
【００５５】
この試験から、当該試験条件下では、打設後５時間が経過するまではコンクリートブロック体２’中央の温度と表面付近の温度との差がほとんどなく、打設後５時間から１０時間経過までの差も、蓄熱材１３が設置されていない試験条件下での差よりも格段に小さいことがわかる。これより、屋外などの温度管理の困難な環境におけるコンクリートの養生において、養生装置１内部に蓄熱材１３を配置することが初期凍害の防止に効果的であることが検証された。また、指針に基づいた蓄熱材１３と養生装置１内部に設置する個数との選定も適切であることが検証された。
【００５６】
なお、この検証試験は実際の現場施工の時間帯と近い時間帯（１３時〜１１時）で行われている。そのため、養生装置１が実際の屋外でのプレキャストコンクリートの養生において初期凍害の防止に効果的であることが検証された。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５８】
１  コンクリート養生装置（養生装置）、２  被覆ブロック、２’  コンクリートブロック体、１０  カバー筐体、１０ａ  取付部材、１１  保温シート、１３  蓄熱材、１３ａ  孔、１４  断熱材、１５  懸架部材、２１  型枠、Ｔ１〜Ｔ５  熱電対
【図１】
2018135711.tif 000003
【図２】
2018135711.tif 000004
【図３】
2018135711.tif 000005
【図４】
2018135711.tif 000006
【図５】
2018135711.tif 000007
【図６】
2018135711.tif 000008
【図７】
2018135711.tif 000009